(57)【要約】【課題】計時部の時刻を適切なタイミングで補正を行う。【解決手段】時刻情報取得部１１０は、時分秒を示す時刻情報を取得する。時刻情報保持部１２０には、時刻情報が保持される。差分値保持部２００には、時刻情報取得部１１０が時刻情報を取得してからの経過時間を示す差分値が保持される。判定部１７０は、受付部２２０により電源の切断指示が受け付けられたか否かを判定する。また、判定部１７０は、無動作検出部２１０がユーザ操作に基づく処理が一定時間行われていないことにより電源の切断の指示がされたか否かを判定する。判定部１７０により、上記指示がされたと判定されると、時刻補正部１３０は、時刻情報保持部１２０に保持されている時刻に差分値保持部２００に保持されている差分値を加えた値を補正時刻として計時部１４０に計時されている時刻を補正させる。【選択図】図２
2010151645.tif 000002
【特許請求の範囲】
【請求項１】
時刻を計時する計時部と、
時刻情報を取得する時刻情報取得部と、
前記計時部により計時されている時刻を用いた特定の処理が行われているか否かを判定する判定部と、
前記判定部により前記特定の処理が行われていないと判定されたときに、前記計時部により計時されている時刻を前記時刻情報に基づいて補正する時刻補正部と
を具備する電子機器。
【請求項２】
前記判定部は、前記特定の処理として前記時刻情報取得部による前記時刻情報の取得処理が行われているか否かを判定する請求項１記載の電子機器。
【請求項３】
前記電子機器の電源の投入または切断の指示を受け付ける受付部をさらに具備し、
前記判定部は、前記指示が受け付けられた後に前記特定の処理が行われているか否かを判定する
請求項１記載の電子機器。
【請求項４】
ユーザ操作に基づく処理が一定時間行われていない場合に前記電子機器の電源の切断を指示する指示部をさらに具備し、
前記判定部は、前記指示が受け付けられた後に前記特定の処理が行われているか否かを判定する
請求項１記載の電子機器。
【請求項５】
前記時刻補正部により前記時刻が補正された後にその旨を表示する表示部をさらに具備する請求項１記載の電子機器。
【請求項６】
前記時刻情報取得部は、前記時刻情報を一定間隔で取得し、
前記時刻補正部は、前記取得された時刻情報と当該時刻情報が取得されてから経過した時間に対応する差分値とに基づいて前記計時部により計時されている時刻を補正する
請求項１記載の電子機器。
【請求項７】
被写体を撮像して画像データを生成する撮像部と、
時刻を計時する計時部と、
前記計時部により計時されている時刻を関連付けて前記生成された画像データを記録させる記録制御部と、
時刻情報を取得する時刻情報取得部と、
前記撮像部により前記画像データが記録されているか否かを判定する判定部と、
前記判定部により前記画像データが記録されていないと判定されたときに、前記計時部により計時されている時刻を前記時刻情報に基づいて補正する時刻補正部と
を具備する撮像装置。
【請求項８】
時刻情報を取得する時刻情報取得手順と、
計時部により計時されている時刻を用いた特定の処理が行われているか否かを判定する判定手順と、
前記判定手順で前記特定の処理が行われていないと判定されたときに、前記計時部により計時されている時刻を前記時刻情報に基づいて補正する時刻補正手順と
を具備する時刻補正方法。
【請求項９】
時刻情報を取得する時刻情報取得手順と、
計時部により計時されている時刻を用いた特定の処理が行われているか否かを判定する判定手順と、
前記判定手順で前記特定の処理が行われていないと判定されたときに、前記計時部により計時されている時刻を前記時刻情報に基づいて補正する時刻補正手順と
をコンピュータに実行させるプログラム。
【発明の詳細な説明】
【技術分野】
【０００１】
本発明は、電子機器に関し、特に、時刻を補正する電子機器、撮像装置、および、これらにおける処理方法ならびに当該方法をコンピュータに実行させるプログラムに関する。
【背景技術】
【０００２】
従来、時刻を計時する計時機能を有するデジタルビデオカメラ等の撮像装置がある。このように計時されている時刻は、例えば、撮像装置の表示部に時刻を表示する際に用いられる。あるいは、撮像装置により動画が記録されている場合に、その動画を構成する各フレームにメタ情報として関連付けられる時刻として用いられる。このように記録された動画を再生すると、ユーザはその動画の記録時刻を容易に把握することができるため便利である。
【０００３】
しかしながら、撮像装置において計時されている時刻は、実際の時刻と誤差が生じることがある。そこで、例えば、外部から時刻情報を取得して、時刻を補正する時計装置が提案されている。例えば、ＧＰＳ衛星から取得したＧＰＳ信号に基づいて時刻を算出し、この算出された時刻に基づいて時刻補正を行う時計装置が提案されている（例えば、特許文献１）。
【特許文献１】特開２００１−３５６８３８号公報（図１）
【発明の開示】
【発明が解決しようとする課題】
【０００４】
上述の従来技術によれば、例えば、撮像装置内において計時されている時刻に誤差が生じたとしても、適切に時刻補正を行うことができる。
【０００５】
しかし、例えば、各フレームに時刻を関連付けながら動画を記録している場合に、その記録中に時刻補正が行われると、その補正の前後で記録される時刻が大きく変化してしまうおそれが生じる。このように記録された動画を再生すると、ユーザがその動画の記録時刻を把握することが困難となるおそれが生じる。
【０００６】
本発明は上記問題点に鑑みてなされたものであり、適切な時期に時刻補正を行うことを目的とする。
【課題を解決するための手段】
【０００７】
本発明は、上記課題を解決するためになされたものであり、その第１の側面は、時刻を計時する計時部と、時刻情報を取得する時刻情報取得部と、上記計時部により計時されている時刻を用いた特定の処理が行われているか否かを判定する判定部と、上記判定部により上記特定の処理が行われていないと判定されたときに、上記計時部により計時されている時刻を上記時刻情報に基づいて補正する時刻補正部とを具備する電子機器およびその処理方法ならびに当該方法をコンピュータに実行させるプログラムである。これにより、時刻情報を取得し、計時部により計時されている時刻を用いた特定の処理が行われていないときに、計時部により計時されている時刻を時刻情報に基づいて補正するという作用をもたらす。
【０００８】
また、この第１の側面において、上記判定部は、上記特定の処理として上記時刻情報取得部による上記時刻情報の取得処理が行われているか否かを判定するようにしてもよい。これにより、時刻情報取得部により時刻情報の取得処理が行われている場合には時刻補正をしないという作用をもたらす。
【０００９】
また、この第１の側面において、上記電子機器の電源の投入または切断の指示を受け付ける受付部をさらに具備し、上記判定部は、上記指示が受け付けられた後に上記特定の処理が行われているか否かを判定するようにしてもよい。これにより、電子機器の電源を停止する指示を受け付けた後に特定の処理が行われているか否かを判定するという作用をもたらす。
【００１０】
また、この第１の側面において、ユーザ操作に基づく処理が一定時間行われていない場合に上記電子機器の電源の切断を指示する指示部をさらに具備し、上記判定部は、上記指示が受け付けられた後に上記特定の処理が行われているか否かを判定するようにしてもよい。これにより、ユーザ操作に基づく処理が一定時間行われていない場合に電子機器の電源の切断が指示され、この指示が受け付けられた後に特定の処理が行われているか否かを判定するという作用をもたらす。
【００１１】
また、この第１の側面において、上記時刻補正部により上記時刻が補正された後にその旨を表示する表示部をさらに具備するようにしてもよい。これにより、時刻が補正された後にその旨を表示部に表示するという作用をもたらす。
【００１２】
また、この第１の側面において、上記時刻情報取得部は、上記時刻情報を一定間隔で取得し、上記時刻補正部は、上記取得された時刻情報と当該時刻情報が取得されてから経過した時間に対応する差分値とに基づいて上記計時部により計時されている時刻を補正するようにしてもよい。これにより、取得された時刻情報と経過した時間に対応する差分値とに基づいて計時部により計時されている時刻を補正するという作用をもたらす。
【００１３】
また、この第２の側面は、被写体を撮像して画像データを生成する撮像部と、時刻を計時する計時部と、上記計時部により計時されている時刻を関連付けて上記生成された画像データを記録させる記録制御部と、時刻情報を取得する時刻情報取得部と、上記撮像部により上記画像データが記録されているか否かを判定する判定部と、上記判定部により上記画像データが記録されていないと判定されたときに、上記計時部により計時されている時刻を上記時刻情報に基づいて補正する時刻補正部とを具備する撮像装置およびその処理方法ならびに当該方法をコンピュータに実行させるプログラムである。これにより、画像データが記録されていないときに、計時部により計時されている時刻を時刻情報に基づいて補正するという作用をもたらす。
【発明の効果】
【００１４】
本発明によれば、適切な時期に時刻補正を行うという優れた効果を奏し得る。
【発明を実施するための最良の形態】
【００１５】
以下、本発明を実施するための最良の形態（以下、実施の形態と称する）について説明する。説明は以下の順序により行う。
１．第１の実施の形態（時刻補正制御：ＧＰＳ信号による時刻情報を用いた時刻補正の例）
２．変形例（アクセスポイントから時刻情報を取得する例）
【００１６】
＜１．第１の実施の形態＞
［撮像装置の内部構成例］
図１は、本発明の第１の実施の形態における撮像装置１０の一構成例を示すブロック図である。撮像装置１０は、制御部１１と、ＧＰＳ受信部１２と、表示部１４と、撮像部１６と、画像処理部１８と、計時部１９と、操作部２４と、バス２０とを備える。また、撮像装置１０は、ＲＯＭ（Read Only Memory）１３と、ＲＡＭ（Random Access Memory）１５と、ＨＤＤ（Hard Disc Drive）１７とを備える。なお、撮像装置１０を構成する各部の間で行われるやりとりは、バス２０を介して行われる。
【００１７】
ＲＯＭ１３は、読み出し専用の記憶装置から構成され、制御部１１の動作に必要なパラメータ等を記憶し、これらのパラメータを制御部１１に出力するものである。
【００１８】
ＧＰＳ受信部１２は、アンテナ２２を備えて、ＧＰＳ衛星２１から送信されるＧＰＳ信号に含まれる時刻データ（ＵＴＣ時刻）に基づいて時刻情報を取得するものである。そして、ＧＰＳ受信部１２は、この取得した時刻情報をＲＡＭ１５に出力して一時的に記憶させる。この時刻情報は、例えば、時分秒である。[0]なお、ＧＰＳ受信部１２は、撮像装置１０の消費電力を軽減するために、例えば２０秒間隔でＧＰＳ信号を受信する。
【００１９】
ＲＡＭ１５は、読み書き可能な記憶装置から構成され、制御部１１が処理を行うときに、その処理中のデータなどを一時的に記憶するものである。また、ＲＡＭ１５は、ＧＰＳ受信部１２から出力された時刻情報を記憶する。また、ＧＰＳ受信部１２により時刻情報が取得されてから経過した時間に対応する値が、例えば、１ｍｓ（ミリ秒）ごとに制御部１１から出力されて、ＲＡＭ１５に記憶される。
【００２０】
制御部１１は、ＣＰＵ（Central Processing Unit）などから構成され、撮像装置１０の動作全体を制御するものである。また、制御部１１は、ＧＰＳ受信部１２により時刻情報がＲＡＭ１５に出力されたときにカウントを開始する。そして、例えば、１ｍｓごとにカウンタ値をＲＡＭ１５に出力して、累積されたカウンタ値をＲＡＭ１５に記憶させる。
【００２１】
撮像部１６は、ユニットレンズ２３を介して集光された被写体からの入射光を変換して画像データ（撮像動画）を生成するものであり、生成された画像データを画像処理部１８に出力する。
【００２２】
ＨＤＤ１７は、各種アプリケーションプログラム等が格納されているハードディスクである。例えば、ＨＤＤ１７には、画像処理部１８から出力される画像データが動画ファイルとして記憶される。
【００２３】
画像処理部１８は、撮像部１６から出力された画像データについて各種画像処理を行うものであり、各種画像処理が施された画像データをＨＤＤ１７に出力する。
【００２４】
計時部１９は、電源が切られている間も内蔵電池から電源供給を受けて動作するＲＴＣ（Real Time Clock）などから構成されて、時刻を計時するものである。なお、計時部１９は、電源が入っている間は外部電源から供給を受けて動作する。ここで、制御部１１は、計時部１９により計時されている時刻を起動時に取得し、この時刻を用いて各制御を行う。すなわち、制御部１１は、計時部１９から取得された時刻をシステムクロックとして管理する。この時刻は、例えば、ＨＤＤ１７に記録される動画ファイルを構成する各フレームにメタ情報として関連付けられる時刻として用いられる。このように、本発明の第１の実施の形態においては、制御部１１または計時部１９により計時されている時刻を用いて行われる処理を特定の処理として説明する。[0]
【００２５】
表示部１４は、小型液晶表示装置等から構成され、画面に各種の情報を表示するものである。また、表示部１４は、計時部１９により計時されている時刻が補正された場合には、その旨を表示する。
【００２６】
操作部２４は、操作ボタン等から構成されて、ユーザからの操作指示を受け付けるものである。例えば、操作部２４は、撮像装置の電源を停止する指示を受け付ける。また、操作部２４は、画像データを記録する指示を受け付ける。また、操作部２４は、スタンバイモードに移行する指示を受け付ける。なお、スタンバイモードとは、例えば、動作中の状態を保持したまま動作を中断するモードである。そして、スタンバイモード中に動作指示を受けた場合には、中断している動作をすぐに再開させる。
【００２７】
［撮像装置の機能構成例］
図２は、本発明の第１の実施の形態における撮像装置１０の機能構成例を示すブロック図である。撮像装置１０は、時刻情報取得部１１０と、時刻補正部１３０と、計時部１４０と、記録制御部１５０と、撮像部１６０と、判定部１７０と、差分値出力部１９０と、無動作検出部２１０と、受付部２２０とを備える。また、撮像装置１０は、時刻情報保持部１２０と、画像記憶部１８０と、差分値保持部２００とを備える。
【００２８】
撮像部１６０は、被写体を撮像して画像データを生成するものである。また、撮像部１６０は、生成された画像データを記録制御部１５０に出力する。なお、撮像部１６０は、図１に示す撮像部１６に対応する。
【００２９】
受付部２２０は、操作ボタン等から構成されて、撮像装置１０の電源の投入または切断の指示を受け付けるものである。また、受付部２２０は、撮像装置１０をスタンバイモードに移行させるための指示を受け付ける。受付部２２０は、これらの指示を受け付けたときに、判定部１７０にその旨を出力する。なお、受付部２２０は、図１に示す操作部２４に対応する。
【００３０】
時刻情報取得部１１０は、ＧＰＳ信号から時刻情報を取得し、これを時刻情報保持部１２０に出力するものである。また、時刻情報取得部１１０は、時刻情報を取得したときに、その旨を示す情報を差分値出力部１９０に出力する。なお、時刻情報取得部１１０は、図１に示すＧＰＳ受信部１２に対応する。なお、時刻情報取得部１１０の動作については、図３を用いて説明する。
【００３１】
時刻情報保持部１２０は、時刻情報取得部１１０から時刻情報を保持するものである。なお、時刻情報保持部１２０は、時刻情報取得部１１０から時刻情報が出力されるごとに時刻情報を書き換えて保持する。なお、時刻情報保持部１２０は、図１に示すＲＡＭ１５に対応する。
【００３２】
差分値出力部１９０は、時刻情報が取得された旨を示す情報が時刻情報取得部１１０から出力されたことを契機として、この情報が出力されてから経過した時間に対応する値を差分値保持部２００に出力するものである。例えば、差分値出力部１９０は、その値を１ｍｓごとに差分値として差分値保持部２００に出力する。なお、差分値出力部１９０は、図１に示す制御部１１に対応する。
【００３３】
差分値保持部２００は、差分値出力部１９０から出力された差分値を保持するものである。なお、差分値保持部２００は、差分値出力部１９０から差分値が出力されるごとに差分値を書き換えて保持する。なお、差分値保持部２００は、図１に示すＲＡＭ１５に対応する。
【００３４】
記録制御部１５０は、撮像部１６０から出力された画像データに、計時部１４０により計時されている時刻を関連付けて動画ファイルとして画像記憶部１８０に記憶させるものである。なお、記録制御部１５０は、図１に示す画像処理部１８に対応する。
【００３５】
画像記憶部１８０は、記録制御部１５０から出力された動画ファイルを記憶するものである。なお、画像記憶部１８０は、図１に示すＨＤＤ１７に対応する。
【００３６】
無動作検出部２１０は、ユーザ操作に基づく処理が一定時間行われていない場合に、撮像装置１０の電源の切断を指示するものである。ユーザ操作に基づく処理とは、ユーザによる操作入力が受け付けられたことを契機として行われる処理であり、例えば、画像データ記録処理や動画再生処理等である。例えば、ユーザからの撮像動画の記録指示の操作入力が受付部２２０により受け付けられた場合には、この操作入力を契機として画像データ記録処理が実行される。無動作検出部２１０は、例えば、記録制御部１５０による画像データ記録処理が終了した際に、計時部１４０から時刻を取得する。そして、無動作検出部２１０は、記録制御部１５０による画像データ記録処理が行われていない間に計時部１４０から時刻を継続的に取得する。最初に取得した時刻から所定時間が経過していれば（例えば、５分間）、無動作検出部２１０は、撮像装置１０の電源の切断を指示する。なお、無動作検出部２１０は、図１に示す制御部１１に対応する。なお、無動作検出部２１０は、特許請求の範囲に記載の指示部の一例である。
【００３７】
判定部１７０は、計時部１４０により計時されている時刻を用いた特定の処理が行われているか否かを判定するものである。計時部１４０により計時されている時刻を用いた特定の処理は、例えば、その時刻を記録対象として用いる画像データ記録処理やその時刻を基準時刻として用いる無動作検出処理である。この特定の処理は、その時刻に基づいて行われる処理やその時刻を処理中に使用する処理等の特定の処理である。また、判定部１７０は、無動作検出部２１０により撮像装置１０の電源の切断が指示された後に、時刻を用いた特定の処理が行われているか否かを判定する。また、判定部１７０は、受付部２２０により撮像装置１０の電源の投入または切断の指示が受け付けられた後に、特定の処理が行われているか否かを判定する。なお、判定部１７０は、図１に示す制御部１１に対応する。
【００３８】
時刻補正部１３０は、判定部１７０により特定の処理が行われていないと判定されたときに、計時部１４０により計時されている時刻を補正する指示を与えるものである。具体的には、時刻補正部１３０は、時刻情報保持部１２０に保持されている時刻情報、および、差分値保持部２００に保持されている差分値を取得する。そして、時刻補正部１３０は、時刻情報により特定される時刻に差分値を加算した値を補正時刻として計時部１４０により計時されている時刻を補正する。なお、時刻補正部１３０は、図１に示す制御部１１に対応する。
【００３９】
計時部１４０は、時刻を計時するものである。時刻補正部１３０により時刻を補正する指示がなされた場合に時刻を補正する。なお、計時部１４０は、図１に示す計時部１９および制御部１１に対応する。
【００４０】
［時刻情報の取得例］
図３は、本発明の第１の実施の形態における時刻情報取得部１１０による時刻情報の取得方法を説明するための図である。なお、図３に示す横軸は時間軸を示す。
【００４１】
図３に示すように、時刻情報取得部１１０は、例えば、２０秒間隔でＧＰＳ信号を受信する。そして、時刻情報取得部１１０は、ＧＰＳ信号を受信するごとに、ＧＰＳ信号に含まれる時刻情報を取得し、取得された時刻情報を時刻情報保持部１２０に保持させる。すなわち、時刻情報保持部１２０に保持されている時刻情報は、時刻情報取得部１１０が時刻情報を取得する毎に書き換えられる。また、時刻情報取得部１１０は、時刻情報を取得した際に、その旨を示す情報を差分値出力部１９０に出力する。そして、差分値出力部１９０は、その旨を示す情報が時刻情報取得部１１０から出力された際にカウントを開始し、差分値を差分値保持部２００に順次保持させる。
【００４２】
例えば、Ａの時点で、時刻情報取得部１１０により取得され、時刻情報保持部１２０に保持された時刻情報を１１時１５分２２秒とする。この場合には、Ｂの時点で、時刻情報取得部１１０により時刻情報が取得されるまでの間、時刻情報保持部１２０に保持させた時刻情報「１１時１５分２２秒」と、差分値出力部１９０によりカウントされた差分値とを用いて、計時部１４０の時刻が補正される。
【００４３】
例えば、Ａの時点から５ｍｓ後の時点をＤとする。このＤの時点で、時刻補正部１３０により計時部１４０の時刻を補正する指示がされた場合には、時刻情報保持部１２０に保持させた時刻情報「１１時１５分２２秒」と、差分値保持部２００に保持された差分値「５秒」とが加算される。そして、補正時刻として「１１時１５分２７秒」が算出される。
【００４４】
［時刻補正処理の例］
図４は、本発明の第１の実施の形態における時刻補正処理を説明するための第１のシーケンス図である。この例では、記録制御部１５０により行われる画像データ記録処理と、時刻補正部１３０により行われる時刻補正処理との関係を示す。なお、図４の縦軸は時間軸を表す。
【００４５】
ここで、図４に示す画像データ記録処理３０８とは、記録制御部１５０が撮像部１６０から出力された画像データに時刻を関連付けて動画ファイルとして画像記憶部１８０に記憶させる処理である。また、時刻情報取得処理３１０とは、時刻情報取得部１１０が時刻情報を取得し、これに基づいて差分値出力部１９０が差分値を出力する処理である。時刻情報取得処理３１０においては、図４に示すように、所定間隔（例えば、２０秒間）でＧＰＳ信号取得３０４乃至３０７により時刻情報が取得されている。
【００４６】
次に、画像データ記録処理３０８中に、図４に示す電源オフ操作指示３０１があった場合における時刻補正処理３０９について説明する。
【００４７】
まず、電源オフ操作指示３０１が受付部２２０により受け付けられる。電源オフ操作指示３０１が受付部２２０により受け付けられた後に、判定部１７０は計時部１４０により計時されている時刻を用いた特定の処理が行われているか否かを判定する。ここでは、記録制御部１５０において画像データ記録処理３０８が実行されているため、計時部１４０により計時されている時刻が用いられた特定の処理が行われていることになる。したがって、判定部１７０は、画像データ記録処理３０８が終了するまで判定を繰り返す。画像データ記録処理３０８が終了すると、判定部１７０は、計時部１４０により計時されている時刻が用いられた特定の処理が行われていないと判定する。この判定を契機として、時刻補正部１３０において時刻補正処理３０９が開始される。
【００４８】
時刻補正処理３０９の開始時において、時刻補正部１３０は、差分値保持部２００により保持されている差分値および時刻情報保持部１２０により保持されている時刻情報を取得する。そして、時刻補正部１３０は、時刻情報により特定される時刻に差分値を加算した値を補正時刻として算出し、その補正時刻に基づいて、計時部１４０により計時されている時刻を補正する。
【００４９】
ここで、時刻情報保持部１２０により保持されている時刻情報は、図４に示すＧＰＳ信号取得３０６のタイミングにおいて取得された時刻情報である。また、差分値保持部２００により保持されている差分値は、ＧＰＳ信号取得３０６のタイミングから時刻補正処理３０９が開始する開始時間３０２までの間の時間に対応する値である。
【００５０】
図５は、本発明の第１の実施の形態における時刻補正処理を説明するための第２のシーケンス図である。この例では、記録制御部１５０により行われる画像データ記録処理と、無動作検出部２１０により行われる電源切断処理と、時刻補正部１３０により行われる時刻補正処理との関係を示す。なお、図５の縦軸は時間軸を表す。
【００５１】
ここで、図５に示す電源切断処理３２２とは、無動作検出部２１０がユーザ操作による処理が一定時間行われていない場合に撮像装置１０の電源の切断を指示する処理である。
【００５２】
例えば、図５に示すように、無動作検出部２１０は、記録制御部１５０による画像データ記録処理３２１が終了した際、すなわち時刻取得３２３のタイミングにおいて、計時部１４０から時刻を取得する。そして、無動作検出部２１０は、図５に示す時刻取得３２４乃至３２６のように、計時部１４０から時刻を継続的に取得する。図５に示す時刻取得３２７の時のように、時刻取得３２３の時から時刻取得３２７までの一定時間、ユーザ操作による処理（図５では画像データ記録処理）が行われていない場合に、無動作検出部２１０は撮像装置１０の電源の切断を指示する。無動作検出部２１０により撮像装置１０の電源の切断が指示されると、判定部１７０は、計時部１４０により計時されている時刻に基づく特定の処理が行われているか否かを判定する。例えば、図５に示すように画像データ記録処理３２１がなされておらず、かつ、計時部１４０により計時されている時刻に基づく特定の処理が行われていなければ、判定部１７０は特定の処理が行われていないと判定する。そして、判定部１７０が特定の処理が行われていないと判定したことを契機として、時刻補正部１３０において時刻補正処理３２８が開始される。
【００５３】
時刻補正処理３２８の開始時において、時刻補正部１３０は、差分値保持部２００により保持されている差分値および時刻情報保持部１２０により保持されている時刻情報を取得する。そして、時刻補正部１３０は、時刻情報により特定される時刻に差分値を加算した値を補正時刻として算出し、その補正時刻に基づいて、計時部１４０により計時されている時刻を補正する。
【００５４】
ここで、時刻情報保持部１２０により保持されている時刻情報は、図５に示すＧＰＳ信号取得３３３のタイミングにおいて取得された時刻情報である。また、差分値保持部２００により保持されている差分値は、ＧＰＳ信号取得３３３のタイミングから時刻補正処理３２８が開始する開始時間３２９までの間の時間に対応する値である。
【００５５】
［時刻補正通知の表示例］
図６は、本発明の第１の実施の形態における表示部１４に表示される時刻補正通知の例を示す図である。
【００５６】
図６に示すように、表示部１４の画面には補正後の時刻が表示されて、ユーザに時刻補正がされた旨が報知される。例えば、撮像装置１０の電源の切断が指示されると、計時部１４０により計時されている時刻が補正されて撮像装置１０の電源が切断される。また、補正直後に、例えば、時刻が補正されたことを示す情報をＨＤＤ１７に記憶させる。そして、撮像装置１０の電源が投入されたときに、図６に示す時刻補正通知画面４０１を表示部１４に表示させて、時刻補正がされたことをユーザに通知する。なお、時刻補正通知画面４０１については、例えば、表示開始から５秒間後に自動的に消去させるようにしてもよく、ユーザによる消去操作に応じて消去させるようにしてもよい。なお、時刻補正通知画面４０１が消去された時に、例えば、ＨＤＤ１７に記憶されている時刻が補正されたことを示す情報が消去されるようにする。なお、本発明の第１の実施の形態では、電源切断後の次の電源投入時に、時刻補正がされた旨を表示する例を示すが、電源切断時における時刻補正の直後にその旨を表示するようにしてもよい。また、本発明の第１の実施の形態では、時刻補正がされた旨を表示することにより報知する例を示すが、例えば、音声出力により報知を行うようにしてもよい。
【００５７】
［撮像装置の動作例］
次に、本発明の第１の実施の形態における撮像装置１０の動作例について説明する。
【００５８】
図７は、本発明の第１の実施の形態における撮像装置１０による補正時刻取得処理の処理手順を示すフローチャートである。
【００５９】
まず、時刻情報取得部１１０は時刻情報を取得する（ステップＳ９０１）。なお、ステップＳ９０１は、特許請求の範囲に記載の時刻情報取得手順の一例である。次に、時刻情報保持部１２０は、この時刻情報を保持する（ステップＳ９０２）。次に、差分値出力部１９０は、差分値を「０」にセットしてカウントを開始する（ステップＳ９０３）。そして、差分値保持部２００は、差分値出力部１９０によりカウントされている差分値を保持する（ステップＳ９０４）。カウント開始後、一定時間経過していれば（ステップＳ９０５；Ｙｅｓ）、ステップＳ９０１に戻り、ＧＰＳ信号が受信される。一方、カウント開始後、一定時間経過していなければ（ステップＳ９０５；Ｎｏ）、時刻補正部１３０により時刻補正指示があるか否かが判定される（ステップＳ９０６）。
【００６０】
このとき、時刻補正指示がなければ（ステップＳ９０６；Ｎｏ）、差分値保持部２００が差分値出力部１９０によりカウントされている差分値を保持するステップＳ９０４に戻る。一方、補正指示があれば（ステップＳ９０６；Ｙｅｓ）、時刻補正部１３０は、差分値保持部２００に保持されている差分値および時刻情報保持部１２０に保持されている時刻情報を取得する（ステップＳ９０７）。次に、終了指示があれば（ステッップＳ９０８；Ｙｅｓ）、補正時刻取得処理は終了する。一方、終了指示がなければ（ステップＳ９０８；Ｎｏ）、差分値保持部２００が差分値出力部１９０によりカウントされている差分値を保持するステップＳ９０４に戻る。
【００６１】
図８は、本発明の第１の実施の形態における撮像装置１０による時刻補正処理の処理手順を示すフローチャートである。この例では、電源オフがユーザ操作により指示がされたことを契機として、特定の処理がされているか否かの判定を行う例を示す。
【００６２】
まず、受付部２２０に電源をオフする指示がされたか否かが判定される（ステップＳ９１１）。そして、電源をオフする指示がされるまで判定処理が繰り返される（ステップＳ９１１；Ｎｏ）。電源をオフする指示がされれば（ステップＳ９１１；Ｙｅｓ）、次に、自動時刻補正機能が有効であるか否かが判定される（ステップＳ９１２）。ここで、自動時刻補正機能は、時刻補正処理を自動で行う機能である。また、自動時刻補正機能については、ユーザ操作により有効または無効を設定することができるものとする。自動時刻補正機能が無効であれば（ステップＳ９１２；Ｎｏ）、撮像装置１０の電源オフ処理がなされて（ステップＳ９１６）、補正時刻取得処理は終了する。一方、自動時刻補正機能が有効であれば（ステップＳ９１２；Ｙｅｓ）、特定の処理がされているか否かが判定される（ステップＳ９１３）。特定の処理がされていれば（ステップＳ９１３；Ｙｅｓ）、特定の処理が終了するまで（ステップＳ９１３；Ｎｏ）、判定処理が繰り返される（ステップＳ９１３；Ｙｅｓ）。なお、ステップＳ９１３は、特許請求の範囲に記載の判定手順の一例である。次に、時刻補正部１３０は、差分値保持部２００に保持されている差分値および時刻情報保持部１２０に保持されている時刻情報を取得する（ステップＳ９１４）。そして、時刻補正部１３０は、時刻情報により特定される時刻に、差分値を加算した値を補正時刻として計時部１４０により計時されている時刻を補正する（ステップＳ９１５）。なお、ステップＳ９１５は、特許請求の範囲に記載の時刻補正手順の一例である。そして、撮像装置１０の電源オフ処理がなされて（ステップＳ９１６）、補正時刻取得処理は終了する。
【００６３】
＜２．変形例＞
次に、本発明の第１の実施の形態の変形例について説明する。
【００６４】
本発明の第１の実施の形態の変形例における撮像装置３０は、第１の実施の形態におけるＧＰＳ受信部１２の代わりにワイヤレスＬＡＮ（Local Area Network）送受信部を設けた撮像装置である。なお、ワイヤレスＬＡＮ送受信部を設けた点以外の構成については、図１に示す撮像装置１０と同様である。そこで、以下では、図１に示す撮像装置１０と共通する点についての説明を省略し、異なる点を中心に説明する。
【００６５】
ワイヤレスＬＡＮ送受信部は、周囲に存在するアクセスポイントに接続され、無線通信方式によりデータを送受信するものである。また、ワイヤレスＬＡＮ送受信部は、アクセスポイントを介してＮＴＰ（Network Time Protocol）サーバにアクセスし、このＮＴＰサーバが保持する時刻情報（ＵＴＣ時刻情報）を取得する。そして、ワイヤレスＬＡＮ送受信部は、取得された時刻情報を制御部１１に出力する。
【００６６】
図９は、本発明の第１の実施の形態の変形例における通信システム５０を示す図である。
【００６７】
図９に示すように、通信システム５０は、撮像装置３０と、アクセスポイント４１と、通信網４２と、サーバ装置４３とを備える。
【００６８】
アクセスポイント４１は、通信網４２と接続されており、撮像装置３０とサーバ装置４３との間で行われるデータを送受信するアクセスポイントである。また、アクセスポイント４１は、撮像装置３０から要求に応じて、サーバ装置４３から出力された時刻情報を撮像装置３０に送信する。
【００６９】
サーバ装置４３は、通信網４２に接続されているＮＴＰサーバであり、時刻情報を保持する。そして、サーバ装置４３は、撮像装置３０から要求に応じて、保持されている時刻情報を、アクセスポイント４１を介して撮像装置３０に送信する。
【００７０】
このように取得された時刻情報を用いて、撮像装置３０は、時刻補正を行うことができる。
【００７１】
以上説明したとおり、本発明の第１の実施の形態では、計時部により計時されている時刻を用いた特定の処理が行われていないときに時刻を補正する。このため、例えば、各フレームに時刻を関連付けながら動画を記録している場合には時刻が補正されない。これにより、同一の動画に記録される時刻が時刻補正により大きく変化してしまうことを防止することができる。また、時刻を用いた特定の処理の処理中において、時刻補正により処理内容が変更されることを防止することができる。また、本発明の第１の実施の形態では、撮像装置１０の電源の停止指示がされたタイミング等で、特定の処理がされているか否かを判定して時刻補正を行うため、適切なタイミングで時刻補正を行うことができる。
【００７２】
なお、本発明の実施の形態では、撮像装置について説明した。しかし、例えば、時刻を計時する計時部および時刻情報を取得する時刻情報取得部を備えた電子機器にも本発明の実施の形態を適用することができる。また、ＧＰＳ信号またはワイヤレスＬＡＮを用いた時刻情報取得方法以外に、他の時刻情報取得方法により時刻情報を取得するようにしてもよい。また、本発明の第１の実施の形態では、時刻を用いた特定の処理として、記録制御処理等を例にして示したが、例えば、時刻を用いて設定時間を報知する設定時間報知処理等についても同様に適用可能である。また、撮像装置の電源投入指示がされたタイミングや、スタンバイモード、省電力モードに移行するタイミング等で、特定の処理がされているか否かを判定して時刻補正を行うようにしてもよい。
【００７３】
なお、本発明の実施の形態は本発明を具現化するための一例を示したものであり、上述のように特許請求の範囲における発明特定事項とそれぞれ対応関係を有する。ただし、本発明は実施の形態に限定されるものではなく、本発明の要旨を逸脱しない範囲において種々の変形を施すことができる。
【００７４】
また、本発明の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。この記録媒体として、例えば、ＣＤ（Compact Disc）、ＭＤ（MiniDisc）、ＤＶＤ（Digital Versatile Disk）、メモリカード、ブルーレイディスク（Blu-ray Disc（登録商標））等を用いることができる。
【図面の簡単な説明】
【００７５】
【図１】本発明の第１の実施の形態における撮像装置１０の一構成例を示すブロック図である。
【図２】本発明の第１の実施の形態における撮像装置１０の機能構成例を示すブロック図である。
【図３】本発明の第１の実施の形態における時刻情報取得部１１０による時刻情報の取得方法を説明するための図である。
【図４】本発明の第１の実施の形態における時刻補正処理を説明するための第１のシーケンス図である。
【図５】本発明の第１の実施の形態における時刻補正処理を説明するための第２のシーケンス図である。
【図６】本発明の第１の実施の形態における表示部１４に表示される時刻補正通知の例を示す図である。
【図７】本発明の第１の実施の形態における撮像装置１０による補正時刻取得処理の処理手順を示すフローチャートである。
【図８】本発明の第１の実施の形態における撮像装置１０による時刻補正処理の処理手順を示すフローチャートである。
【図９】本発明の第１の実施の形態の変形例における通信システム５０を示す図である。
【符号の説明】
【００７６】
１０、３０  撮像装置
１１    制御部
１２    ＧＰＳ受信部
１３    ＲＯＭ
１４    表示部
１５    ＲＡＭ
１６    撮像部
１７    ＨＤＤ
１８    画像処理部
１９    計時部
２０    バス
２１    ＧＰＳ衛星
２２    アンテナ
２３    ユニットレンズ
２４    操作部
４１    アクセスポイント
４２    通信網
４３    サーバ装置
５０    通信システム
１１０  時刻情報取得部
１２０  時刻情報保持部
１３０  時刻補正部
１４０  計時部
１５０  記録制御部
１６０  撮像部
１７０  判定部
１８０  画像記憶部
１９０  差分値出力部
２００  差分値保持部
２１０  無動作検出部
２２０  受付部
４０１  時刻補正通知画面
【図１】
2010151645.tif 000003
【図２】
2010151645.tif 000004
【図３】
2010151645.tif 000005
【図４】
2010151645.tif 000006
【図５】
2010151645.tif 000007
【図６】
2010151645.tif 000008
【図７】
2010151645.tif 000009
【図８】
2010151645.tif 000010
【図９】
2010151645.tif 000011